(57)【特許請求の範囲】
【請求項１】
複数の走査線、複数のデータ線、前記走査線と前記データ線との交差に対応して設けられた複数の画素、入力信号に基づいて前記画素を駆動する内部駆動回路、前記走査線を検査する第１の回路、前記データ線を検査する第２の回路、電源が供給される複数の電源端子、及び前記入力信号が供給される複数の入力端子を有する電気光学パネルと、
前記複数の電源端子及び前記複数の入力端子が接続可能な実装部材と、
前記電源及び前記入力信号を生成する回路を有する外部駆動回路と、を備え、
前記複数の入力端子は、前記第１の回路を不活性化するか否かを制御する第１の制御信号が入力される第１の制御信号入力端子と、前記第２の回路を不活性化するか否かを制御する第２の制御信号が入力される第２の制御信号入力端子と、を含み、
前記複数の電源端子は、前記内部駆動回路の動作に必要な高位側電源が供給される高位側電源端子及び低位側電源が供給される低位側電源端子を含み、
前記第１及び第２の制御信号入力端子は前記高位側電源端子又は前記低電位側電源端子に隣接し、
前記高位側電源又は前記低位側電源は、前記第１及び第２の制御信号として、前記第１及び第２の制御信号入力端子に入力され、
前記実装部材は、前記複数の電源端子及び前記複数の入力端子に接続される複数の配線を有して前記電気光学パネルと外部駆動回路とを電気的に接続し、
前記第１及び第２の制御信号入力端子は、前記実装部材の配線を介して前記高位側電源端子又は低位側電源端子と電気的に接続される、ことを特徴とする電気光学装置。
【請求項２】
前記第１の制御信号入力端子及び前記第２の制御信号入力端子は、前記高位側電源端子と前記低位側電源端子との間に設けられたことを特徴とする請求項１に記載の電気光学装置。
【請求項３】
請求項１又は２に記載の電気光学装置を備えたことを特徴とする電子機器。
【発明の詳細な説明】
【技術分野】
【０００１】
本発明は、電気光学装置及び電子機器に関する。本発明は、特に、検査回路等の画素を駆動する際には動作を必要としない回路を定常状態（回路状態が時間的に変化しない状態。すなわち、固定状態。）にする機能（不活性化）を有する電気光学装置及びそれを備えた電子機器に関する。
【背景技術】
【０００２】
表示装置、例えば、電気光学材料として液晶を用いた液晶表示装置は、陰極線管（ＣＲＴ）に代わるディスプレイデバイスとして、各種情報処理機器の表示部や液晶テレビなどに広く用いられている。
【０００３】
この種の電気光学装置は、例えば、基板上に設けられた走査線駆動回路やデータ線駆動回路等の内部駆動回路及び該内部駆動回路と電気的に接続された複数の端子を備えている。また、該複数の端子に対して、実装部品が実装されると共に該実装部品に接続された外部駆動回路から所定種類の信号が供給される。そして、複数の端子を介して供給される所定種類の信号に基づいて、内部駆動回路が複数の画素を駆動し走査して画像が表示される。
【０００４】
このような電気光学装置は、製造する際に不良パネルをできる限り早い工程で発見するのが好ましい。早い工程で不良パネルを発見できれば、これを後の工程に流さないことによって製造コストの低減に有効だからである。従来の電気光学装置は、不良パネルをできる限り早い工程で発見するために、検査回路を内蔵するのが一般的である（例えば、特許文献１）。
【特許文献１】特開平１−２２５９９６号公報
【０００５】
図１は、走査線検査回路及びデータ線検査回路を有する従来の電気光学装置の構成を示す図である。従来の電気光学装置は、液晶パネルと、外部駆動回路と、実装部材とを備えて構成されている。液晶パネルは、走査線を検査する走査線検査回路、及びデータ線を検査するデータ線検査回路を有し、画素マトリクスにおける点欠陥や線欠陥等の不良を検査している。
【０００６】
走査線検査回路及びデータ線検査回路は、液晶パネルの不良を早期に発見する上で非常に有効であるが、電気光学装置の実駆動時には不要であり、電気光学装置の実駆動時に、走査線検査回路及びデータ線検査回路の動作を定常状態にしておかないと、走査線検査回路及びデータ線検査回路を介したリークが発生し、コントラスト低下等の問題が生じてしまう。従来の電気光学装置では、走査線検査回路及びデータ線検査回路を定常状態にする制御信号ＣＫＧＹ及び制御信号ＣＫＧＸを、走査線検査回路及びデータ線検査回路に供給することにより、実駆動時において走査線検査回路及びデータ線検査回路を定常状態としていた。
【発明の開示】
【発明が解決しようとする課題】
【０００７】
しかしながら、従来の電気光学装置では、走査線検査回路及びデータ線検査回路を定常状態にするためには、制御信号ＣＫＧＹ及びＣＫＧＸを外部駆動回路において生成し、実装部材を介して液晶パネルに供給する必要があったため、外部駆動回路の回路規模が増大し、ひいては、電気光学装置のコストが増大するという問題が生じていた。
【０００８】
よって、本発明は、上記の課題を解決することのできる電気光学装置及び電子機器を提供することを目的とする。この目的は特許請求の範囲における独立項に記載の特徴の組み合わせにより達成される。また従属項は本発明の更なる有利な具体例を規定する。
【課題を解決するための手段】
【０００９】
上記課題を解決するために、本発明の電気光学装置は、複数の走査線、複数のデータ線、走査線とデータ線との交差に対応して設けられた複数の画素、入力信号に基づいて画素を駆動する内部駆動回路、画素を駆動する際には動作を必要としない第１の回路、電源が供給される複数の電源端子、及び入力信号が供給される複数の入力端子を有する電気光学パネルと、複数の電源端子及び複数の入力端子が接続可能な実装部材と、電源及び入力信号を生成する回路を有する外部駆動回路とを備え、複数の入力端子は、第１の回路を定常状態にするか否かを制御する第１の制御信号が入力される第１の制御信号入力端子を含み、第１の入力端子は、電源端子と電気的に接続されている。
【００１０】
上記構成によれば、電気光学パネルに供給される電源の電位が、第１の回路を定常状態にするか否かを制御する第１の制御信号として電気光学パネルに供給される。したがって、外部駆動回路において、第１の制御信号を生成する必要がないため、構成が簡易で安価な電気光学装置を提供することができる。
【００１１】
また、上記構成によれば、第１の制御信号入力端子に、所望の電位を持つ電源が供給される電源端子を電気的に接続することにより、第１の制御信号入力端子に所望の電源を第１の制御信号として供給することができる。したがって、第１の回路を定常状態とする信号レベルに応じて、第１の制御信号を第１の制御信号入力端子に供給することができる。
【００１２】
また、上記構成によれば、第１の制御信号入力端子と電源端子とを電気的に接続することにより第１の回路を定常状態にできるため、電気光学装置を製造した後であっても、第１の回路を容易に定常状態とすることができる。
【００１３】
また、上記構成によれば、第１の制御信号入力端子を電気光学パネル近傍において電源端子と電気的に接続させることができるため、第１の回路を定常状態とする第１の制御信号にノイズがのる危険性を低減させることができる。
【００１４】
当該電気光学装置において、第１の制御信号入力端子は、電源端子に隣接して設けられており、電源端子に供給される電源が、第１の制御信号として、第１の制御信号入力端子に入力されることが好ましい。
【００１５】
上記構成によれば、第１の制御信号入力端子が電源端子に隣接して設けられているため、例えば、実装部材や外部駆動回路において第１の制御信号入力端子及び電源端子にそれぞれ接続される配線も隣接して設けられることとなる。したがって、例えば、実装部材や外部駆動回路において第１の制御信号入力端子と電源端子とを容易に電気的に接続することができるため、第１の回路を容易に定常状態とすることができる。
【００１６】
当該電気光学装置において、複数の電源端子は、内部駆動回路の動作に必要な高位側電源が供給される高位側電源端子、及び低位側電源が供給される低位側電源端子を含み、第１の制御信号入力端子は、高位側電源端子又は低位側電源端子と電気的に接続されており、高位側電源又は低位側電源は、第１の制御信号として、第１の制御信号入力端子に入力されることが好ましい。
【００１７】
上記構成によれば、第１の制御信号入力端子には、第１の制御信号として、内部駆動回路の動作に必要な高位側電源又は低位側電源が供給されることとなる。すなわち、第１の制御信号を生成するための回路や電源を別途設けなくとも、第１の制御信号入力端子を高位側電源端子又は低位側電源端子に電気的に接続することにより、第１の制御信号のレベルを、第１の回路を定常状態とするレベルに設定することができる。
【００１８】
当該電気光学装置において、実装部材は、複数の電源端子及び複数の入力端子に接続される複数の配線を有し、第１の制御信号入力端子は、配線において高位側電源端子又は低位側電源端子と電気的に接続されていることが好ましい。
【００１９】
上記構成によれば、第１の制御信号入力端子は、実装部材に設けられた配線上で、高位側電源端子又は低位側電源端子に電気的に接続されることとなる。すなわち、第１の制御信号入力端子に接続された配線が、実装部材上において、高位側電源端子又は低位側電源端子に接続された配線と接続されることにより、第１の制御信号入力端子は、高位側電源端子又は低位側電源端子と電気的に接続される。したがって、上記構成によれば、実装部材において配線を短絡させるだけで、第１の制御信号を生成し、第１の回路を定常状態とすることができる。また、上記構成によれば、実装部材において配線を接続することにより第１の回路を定常状態とすることができるため、電気光学装置を製造した後であっても、容易に第１の回路を定常状態とすることができる。
【００２０】
当該電気光学装置において、第１の制御信号入力端子は、外部駆動回路において高位側電源端子又は低位側電源端子と電気的に接続されてもよい。
【００２１】
上記構成によれば、例えば、外部駆動回路が設けられる回路基板等において、第１の制御信号入力端子が高位側電源端子又は低位側電源端子と電気的に接続されることとなる。すなわち、上記構成によれば、外部駆動回路が設けられた回路基板等において配線を短絡させるだけで、第１の回路を定常状態とすることができる。
【００２２】
当該電気光学装置において、外部駆動回路は、第１の制御信号入力端子と高位側電源端子又は低位側電源端子とを電気的に接続するか否かを切り替える切り替え手段をさらに有してもよい。
【００２３】
上記構成によれば、切り替え手段により、第１の制御信号入力端子と電源端子とを電気的に接続するか否かを容易に切り替えることができる。したがって、上記構成によれば、第１の回路を容易に定常状態とすることができるとともに、第１の回路を定常状態とするか否かを容易に切り替えることができる。
【００２４】
当該電気光学装置において、電気光学パネルは、画素を駆動する際には動作を必要としない第２の回路と、第２の回路を定常状態にするか否かを制御する第２の制御信号が入力される第２の制御信号入力端子とをさらに有し、第２の制御信号入力端子は、第１の制御信号入力端子及び電源端子に隣接して設けられており、配線又は外部駆動回路において当該電源端子と電気的に接続されることが好ましい。ここで、第１の回路は、例えば、走査線を検査する走査線検査回路であり、また、第２の回路は、例えば、データ線を検査するデータ線検査回路である。
【００２５】
上記構成では、電気光学パネルが、画素を駆動する際には動作を必要としない第１の回路及び第２の回路を有しており、第１の回路及び第２の回路のそれぞれが、第１の制御信号及び第２の制御信号のレベルに基づいて、定常状態となる。ここで、第１の制御信号及び第２の制御信号の少なくとも一方は、電源端子に電気的に接続されている。したがって、上記構成によれば、電気光学パネルが、画素を駆動する際には動作を必要としない複数の回路を有していても、当該回路を容易に定常状態とすることができる。
【００２６】
当該電気光学装置において、第１の回路及び第２の回路を定常状態にする第１の制御信号及び第２の制御信号のレベルは略同一であり、第１の制御信号入力端子及び第２の制御信号入力端子は、同一の電源端子に電気的に接続されてもよい。
【００２７】
上記構成によれば、第１の回路及び第２の回路を定常状態とする信号のレベルが略同一であるため、第１の制御信号入力端子及び第２の制御信号入力端子は、同一の電源端子に電気的に接続することにより、当該レベルを有する第１の制御信号及び第２の制御信号のレベルを当該レベルとし、第１の回路及び第２の回路を定常状態とすることができる。したがって、上記構成によれば、さらに簡易な構成で、第１の回路及び第２の回路を定常状態とすることができる。
【００２８】
当該電気光学装置において、第１の制御信号入力端子及び第２の制御信号入力端子は、高位側電源端子と低位側電源端子との間に設けられることが好ましい。
【００２９】
上記構成によれば、第１の制御信号入力端子及び第２の制御信号入力端子は、高位側電源端子と低位側電源端子との間に設けられるため、いずれの電源端子に対しても容易に電気的に接続させることができる。例えば、実装部材において、第１の制御信号入力端子に接続された配線を、高位側電源端子又は低位側電源端子に接続された配線に短絡させる場合に、高位側電源端子及び低位側電源端子に接続された配線の一方並びに第２の制御信号に接続された配線を跨がずに、他方に短絡させることができる。同様に、第２の制御信号入力端子に接続された配線を、高位側電源端子及び低位側電源端子に接続された配線の一方並びに第１の制御信号に接続された配線を跨がずに、他方に短絡させることができる。
【００３０】
本発明の第２の形態によれば、上記電気光学装置を備えた電子機器を提供する。ここで、電子機器とは、本発明にかかる電気光学装置を備えた一定の機能を奏する機器一般をいい、その構成に特に限定はないが、例えば、上記電気光学装置を備えたコンピュータ装置一般、表示装置、携帯電話、ＰＨＳ、ＰＤＡ、電子手帳等、電気光学装置を必要とするあらゆる装置が含まれる。
【発明を実施するための最良の形態】
【００３１】
以下、図面を参照しつつ、発明の実施の形態を通じて本発明を説明するが、以下の実施形態は特許請求の範囲に係る発明を限定するものではなく、また、実施形態の中で説明されている特徴の組み合わせのすべてが発明の解決手段に必須であるとは限らない。なお、以下の実施形態では、本発明の電気光学装置を液晶表示装置に適用したものを例に説明するが、本発明の電気光学装置が適用されるものはこれに限られず、例えば有機ＥＬ表示装置等にも適用できる。
【００３２】
図２は、本発明の電気光学装置の一例である液晶表示装置の第１実施形態の電気的構成を示すブロック図である。同図を参照して、まず、本実施形態の液晶表示装置の全体構成について説明する。この図に示すように液晶表示装置は、電気光学パネルの一例である液晶パネルＡＡ、実装部材の一例であるフレキシブル基板Ｂ、及び外部基板Ｃを備える。外部基板Ｃは、外部駆動回路の一例である、タイミング発生回路３００、画像処理回路４００、及び電源回路５００を備える。この液晶表示装置に供給される入力画像データＤは、例えば、３ビットパラレルの形式である。タイミング発生回路３００は、入力画像データＤに同期してＹクロック信号ＹＣＫ、反転Ｙクロック信号ＹＣＫＢ、Ｘクロック信号ＸＣＫ、反転Ｘクロック信号ＸＣＫＢ、Ｙ転送開始パルスＤＹ及びＸ転送開始パルスＤＸを生成する。また、タイミング発生回路３００は、画像処理回路４００を制御する各種のタイミング信号を生成し、これを出力する。
【００３３】
Ｙクロック信号ＹＣＫは、走査線２を選択する期間を特定し、反転Ｙクロック信号ＹＣＫＢはＹクロック信号ＹＣＫの論理レベルを反転したものである。Ｘクロック信号ＸＣＫは、データ線３を選択する期間を特定し、反転Ｘクロック信号ＸＣＫＢはＸクロック信号ＸＣＫの論理レベルを反転したものである。
【００３４】
画像処理回路４００は、入力画像データＤに、液晶パネルＡＡの光透過特性を考慮したガンマ補正等を施した後、ＲＧＢ各色の画像データをＤ／Ａ変換して、画像信号４０Ｒ、４０Ｇ、４０Ｂを生成する。
【００３５】
電源回路５００は、タイミング発生回路３００、及び画像処理回路４００に電源を供給する他、走査線駆動回路１００及びデータ線駆動回路２００の動作に必要な電源を生成する。
【００３６】
このように生成された各種の制御信号及び電源は、フレキシブル基板Ｂを介して液晶パネルＡＡに供給される。
【００３７】
液晶パネルＡＡは、その素子基板上に、端子群１０、画像表示領域Ａ、走査線駆動回路１００、データ線駆動回路２００、走査線検査回路１１０、及びデータ線検査回路１２０を備える。端子群１０は、複数の電源端子及び複数の入力端子を有して構成される（図３乃至図６参照）。
【００３８】
複数の入力端子には、フレキシブル基板Ｂを介して、第１の制御信号の一例である、走査線検査回路１１０を定常状態にするか否かを制御するＹ検査制御信号（以下、ＣＫＧＹとする）、及び第２の制御信号の一例である、データ線検査回路１２０を定常状態にするか否かを制御するＸ検査制御信号（以下、ＣＫＧＸとする）を含む各種の制御信号が供給される。また、複数の電源端子には、液晶パネルＡＡの動作に必要な高位側電源ＶＤＤ（以下、ＶＤＤとする）及び低位側電源ＶＳＳ（以下、ＶＳＳとする）が供給される。液晶パネルＡＡに電位の異なる複数の高位側電源及び複数の低位側電源が供給される場合、ＶＤＤ及びＶＳＳは、走査線検査回路１１０及びデータ線検査回路１２０を定常状態とするのに適切な電源であれば、当該複数の高位側電源及び複数の低位側電源のうちのいずれであってもよい。
【００３９】
走査線駆動回路１００は、Ｙシフトレジスタ及びレベルシフタ等を備える。Ｙ転送開始パルスＤＹ、Ｙクロック信号ＹＣＫ及び反転Ｙクロック信号ＹＣＫＢはＹシフトレジスタに供給される。Ｙシフトレジスタは、Ｙクロック信号ＹＣＫ及び反転Ｙクロック信号ＹＣＫＢに同期して、Ｙ転送開始パルスＤＹを順次転送して信号を順次出力する。レベルシフタは、信号振幅を大振幅に変換し、走査信号Ｙ１、Ｙ２、…、Ｙｍとして各走査線２に出力する。
【００４０】
データ線駆動回路２００は、画像信号４０Ｒ、４０Ｇ、４０Ｂを所定のタイミングでサンプリングしてデータ線信号Ｘ１〜Ｘｎを生成し各データ線３に供給する。データ線駆動回路２００は、Ｘシフトレジスタ、レベルシフタ、及びサンプリング回路を備える。Ｘシフトレジスタは、Ｘ転送開始パルスＤＸをＸクロック信号ＸＣＫ及び反転Ｘクロック信号ＸＣＫＢに同期して順次転送して各出力信号を生成する。
【００４１】
レベルシフタは、Ｘシフトレジスタの各出力信号のレベルを変換して、各サンプリング信号ＳＲ１〜ＳＲｎを順次生成する。サンプリング回路は、ｎ個のスイッチＳＷ１〜ＳＷｎを備える。各スイッチＳＷ１〜ＳＷｎは、ＴＦＴによって構成されている。そして、ゲートに供給される各サンプリング信号ＳＲ１〜ＳＲｎが順次アクティブになると、各スイッチＳＷ１〜ＳＷｎが順次オン状態となる。すると、フレキシブル基板Ｂを介して供給される画像信号４０Ｒ、４０Ｇ、４０Ｂがサンプリングされる。そして、サンプリング結果であるデータ線信号Ｘ１〜Ｘｎがデータ線３に順次供給される。
【００４２】
次に、画像表示領域Ａには、図２に示されるように、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが容量素子５１及び画素電極６に接続される。そして、各画素は、画素電極６と、対向基板に形成される対向電極と、これら両電極間に挟持された液晶とによって構成される。この結果、走査線２とデータ線３との各交差に対応して、画素はマトリクス状に配列されることとなる。
【００４３】
また、ＴＦＴ５０のゲートが接続される各走査線２には、走査信号Ｙ１、Ｙ２、…、Ｙｍが、パルス的に線順次で印加されるようになっている。このため、ある走査線２に走査信号が供給されると、当該走査線に接続されるＴＦＴ５０がオンするので、データ線３から所定のタイミングで供給されるデータ線信号Ｘ１、Ｘ２、…、Ｘｎは、対応する画素に順番に書き込まれた後、所定の期間保持されることとなる。
【００４４】
各画素に印加される電位レベルに応じて液晶分子の配向や秩序が変化するので、光変調による階調表示が可能となる。例えば、液晶を通過する光量は、ノーマリーホワイトモードであれば、印加電位が高くなるにつれて制限される一方、ノーマリーブラックモードであれば、印加電位が高くなるにつれて緩和されるので、液晶表示装置全体では、画像信号に応じたコントラストを持つ光が各画素毎に出射される。このため、所定の表示が可能となる。
【００４５】
走査線検査回路１１０及びデータ線検査回路１２０は、それぞれ走査線２及びデータ線３に接続されており、例えば、点欠陥や線欠陥等の表示上の欠陥等を検査することにより、液晶表示パネルの良否を検査する。また、走査線検査回路１１０及びデータ線検査回路１２０は、ＣＫＧＹ及びＣＫＧＸが供給されており、ＣＫＧＹ及びＣＫＧＸが所定のレベルを示す場合に、定常状態となるよう構成されている。
【００４６】
図３は、フレキシブル基板Ｂ及びその周辺構成を示す平面図である。図３を参照して、第１実施形態の液晶表示装置におけるフレキシブル基板Ｂ及びその周辺の詳細な構成について説明する。フレキシブル基板Ｂは、基材２１０と、基材２１０の下に設けられた配線群１２とを有して構成される。配線群１２は、電源回路５００が生成した液晶パネルＡＡの動作に必要なＶＤＤ及びＶＳＳが供給される配線３２及び３４を含んで構成される。また、配線群１２は、ＣＫＧＹ及びＣＫＧＸがそれぞれ供給される配線３０Ａ及び３０Ｂを含んで構成される。
【００４７】
基材２１０は、例えば、ポリイミド等の弾力性に富む材料で構成することができる。基材２１０の下に設けられた配線群１２の下面はレジスト等で覆われており、不要な短絡が防止されるようになっている。配線群１２を構成する各配線の端部では、異方性導電膜等を介して、当該各配線と端子群１０との導通が取られている。
【００４８】
液晶パネルＡＡに設けられた端子群１０は、第１の制御信号入力端子の一例であるＣＫＧＹ入力端子２０Ａ及び第２の制御信号入力端子の一例であるＣＫＧＸ入力端子２０Ｂ、並びに高位側電源端子の一例であるＶＳＳ電源端子２２及び低位側電源端子の一例であるＶＳＳ電源端子２４を含んで構成される。ＣＫＧＹ入力端子２０Ａ及びＣＫＧＸ入力端子２０Ｂは、それぞれ配線３０Ａ及び３０Ｂに接続されており、ＶＤＤ電源端子２２及びＶＳＳ電源端子２４は、それぞれ配線３２及び３４に接続されている。
【００４９】
ＣＫＧＹ入力端子２０Ａは、データ線検査回路１２０を介して走査線検査回路１１０に接続されており、ＣＫＧＹが走査線検査回路１１０に供給される。また、ＣＫＧＸ入力端子２０Ｂは、データ線検査回路１２０に接続されており、ＣＫＧＸがデータ線検査回路１２０に供給される。例えば、ＣＫＧＹ及びＣＫＧＸは、それぞれ、走査線検査回路１１０及びデータ線検査回路１２０を構成するＴＦＴのゲートに供給される。当該ＴＦＴは、例えば、走査線検査回路１１０と走査線２との間、又はデータ線検査回路１２０とデータ線３との間に設けられたＴＦＴである。
【００５０】
ＣＫＧＹ入力端子２０Ａは、ＶＤＤ電源端子２２及びＶＳＳ電源端子２４のいずれか一方に電気的に接続される。すなわち、ＣＫＧＹ入力端子２０Ａには、ＶＤＤ及びＶＳＳのいずれか一方が、ＣＫＧＹとして供給される。具体的には、ＣＫＧＹ入力端子２０Ａは、走査線検査回路１１０を定常状態とするのに適切な電源が供給されている電源端子と電気的に接続される。本実施形態では、一例として、ＣＫＧＹ入力端子２０Ａは、ＶＤＤ電源端子２２と電気的に接続されており、ＶＤＤがＣＫＧＹとしてＣＫＧＹ入力端子２０Ａに供給される。
【００５１】
具体的には、ＣＫＧＹ入力端子２０Ａに接続された配線３０Ａが、フレキシブル基板Ｂにおいて、ＶＤＤ電源端子２２に接続された配線３２と短絡されることにより、ＣＫＧＹ入力端子２０Ａが、ＶＤＤ電源端子２２に電気的に接続されている。すなわち、配線３０Ａは、配線３２とＣＫＧＹ入力端子２０Ａとに接続されており、ＶＤＤがＣＫＧＹとしてＣＫＧＹ入力端子２０Ａに供給される。
【００５２】
ＣＫＧＸ入力端子２０Ｂは、ＶＤＤ電源端子２２及びＶＳＳ電源端子２４のいずれか一方に電気的に接続される。すなわち、ＣＫＧＸ入力端子２０Ｂには、ＶＤＤ及びＶＳＳのいずれか一方が、ＣＫＧＸとして供給される。具体的には、ＣＫＧＸ入力端子２０Ｂは、データ線検査回路１２０を定常状態とするのに適切な電源が供給されている電源端子と電気的に接続される。本実施形態では、一例として、ＣＫＧＸ入力端子２０Ｂは、ＶＳＳ電源端子２４と電気的に接続されており、ＶＳＳがＣＫＧＸとしてＣＫＧＸ入力端子２０Ｂに供給される。
【００５３】
具体的には、ＣＫＧＸ入力端子２０Ｂに接続された配線３０Ｂが、フレキシブル基板Ｂにおいて、ＶＳＳ電源端子２４に接続された配線３４と短絡されることにより、ＣＫＧＸ入力端子２０Ｂが、ＶＳＳ電源端子２４に電気的に接続されている。すなわち、配線３０Ｂは、配線３４とＣＫＧＸ入力端子２０Ｂとに接続されており、ＶＳＳがＣＫＧＸとしてＣＫＧＸ入力端子２０Ｂに供給される。
【００５４】
本実施形態によれば、ＣＫＧＹ入力端子２０Ａ及びＣＫＧＸ入力端子２０Ｂが、電源端子に電気的に接続されており、当該電源端子に供給される電源がＣＫＧＹ及びＣＫＧＸとして、それぞれ走査線検査回路１１０及びデータ線検査回路１２０に供給されるため、外部基板Ｃに走査線検査回路１１０及びデータ線検査回路１２０を定常状態とするための制御信号を生成する構成を設ける必要がない。したがって、本実施形態によれば、構成が簡易で安価な電気光学装置を提供することができる。
【００５５】
また、配線３０Ａ及び３０Ｂは、液晶パネルＡＡの近傍において、それぞれ配線３２又は３４に接続されるのが好ましい。これにより、フレキシブル基板Ｂにおいて、複数の配線が互いに隣接して、平行に延在する場合であっても、ＣＫＧＹ及びＣＫＧＸにノイズがのる危険性を低減させることができる。したがって、走査線検査回路１１０及びデータ線検査回路１２０を安定して定常状態とすることができる。
【００５６】
ＣＫＧＹ入力端子２０Ａは、ＶＤＤ電源端子２２又はＶＳＳ電源端子２４に隣接して設けられるのが望ましい。また、同様に、ＣＫＧＸ入力端子２０Ｂは、ＶＤＤ電源端子２２又はＶＳＳ電源端子２４に隣接して設けられるのが望ましい。本実施形態では、一例として、ＣＫＧＹ入力端子２０Ａは、ＶＤＤ電源端子２２に隣接して設けられており、ＣＫＧＸ入力端子２０Ｂは、ＶＳＳ電源端子２４に隣接して設けられている。また、ＶＤＤ電源端子２２は、ＣＫＧＹ入力端子２０ＡとＶＳＳ電源端子２４との間に設けられており、ＶＳＳ電源端子２４は、ＶＤＤ電源端子２２とＣＫＧＸ入力端子２０Ｂとの間に設けられている。
【００５７】
本実施形態によれば、ＣＫＧＹ入力端子２０Ａ及びＣＫＧＸ入力端子２０Ｂは、それぞれＶＤＤ電源端子２２及びＶＳＳ電源端子２４に隣接して設けられているため、ＣＫＧＹ入力端子２０Ａ及びＣＫＧＸ入力端子２０Ｂに接続された配線３０Ａ及び３０Ｂも、配線３２及び３４に隣接して設けられることとなる。したがって、本実施形態によれば、ＣＫＧＹ入力端子２０Ａ及びＣＫＧＸ入力端子２０Ｂを、隣接する電源端子に容易に電気的に接続させることができるため、容易に走査線検査回路１１０及びデータ線検査回路１２０を定常状態とすることができる。
【００５８】
図４は、第２実施形態に係る液晶表示装置におけるフレキシブル基板Ｂ及びその周辺構成を示す図である。以下において、第１実施形態と異なる点を中心に第２実施形態のフレキシブル基板Ｂ等について説明する。なお、本実施形態の液晶表示装置の全体構成は第１実施形態と同様であり、第１実施形態と同一の符号を付した構成については、第１実施形態と同様の構成及び機能を有する。
【００５９】
本実施形態において、ＣＫＧＹ入力端子２０Ａ及びＣＫＧＸ入力端子２０Ｂの双方は、フレキシブル基板Ｂにおいて、ＶＤＤ電源端子２２及びＶＳＳ電源端子２４の一方に電気的に接続されている。図４では、一例として、走査線検査回路１１０及びデータ線検査回路１２０は、それぞれＣＫＧＹ及びＣＫＧＸのレベルがＶＤＤと略同一である場合に定常状態となるように構成されており、走査線検査回路１１０及びデータ線検査回路１２０の双方が、フレキシブル基板ＢにおいてＶＤＤ電源端子２２と電気的に接続されている。
【００６０】
具体的には、ＣＫＧＹ入力端子２０Ａ及びＣＫＧＸ入力端子２０Ｂは互いに隣接して設けられており、また、ＣＫＧＹ入力端子２０Ａ及びＣＫＧＸ入力端子２０Ｂの一方が、ＶＤＤ電源端子２２又はＶＳＳ電源端子２４に隣接して設けられている。そして、ＣＫＧＹ入力端子２０Ａ及びＣＫＧＸ入力端子２０Ｂの双方がフレキシブル基板Ｂにおいて電気的に接続されている。すなわち、配線３０Ａ及び３０Ｂは、フレキシブル基板Ｂにおいて配線３２に接続されている。
【００６１】
本実施形態では、一例として、ＶＤＤ電源端子２２及びＶＳＳ電源端子２４は、互いに隣接して設けられているが、ＶＤＤ電源端子２２とＶＳＳ電源端子２４との間に、ＣＫＧＹ入力端子２０Ａ及びＣＫＧＸ入力端子２０Ｂが設けられてもよい。これにより、ＣＫＧＹ入力端子２０Ａ及びＣＫＧＸ入力端子２０Ｂを、フレキシブル基板Ｂにおいて、ＶＤＤ電源端子２２及びＶＳＳ電源端子２４のいずれに対しても容易に電気的に接続することができる。
【００６２】
図５は、第３実施形態に係る液晶表示装置におけるフレキシブル基板Ｂ及びその周辺構成を示す図である。以下において、第１実施形態及び第２実施形態と異なる点を中心に第３実施形態のフレキシブル基板Ｂ等について説明する。なお、本実施形態の液晶表示装置の全体構成は第１実施形態と同様であり、第１実施形態及び第２実施形態と同一の符号を付した構成については、当該実施形態と同様の構成及び機能を有する。
【００６３】
本実施形態において、ＣＫＧＹ入力端子２０Ａ及びＣＫＧＸ入力端子２０Ｂは、外部基板Ｃにおいて、それぞれ、ＶＤＤ電源端子２２又はＶＳＳ電源端子２４に電気的に接続される。図５では、一例として、走査線検査回路１１０は、ＣＫＧＹのレベルがＶＤＤと略同一である場合に定常状態となるように構成されており、データ線検査回路１２０は、ＣＫＧＸのレベルがＶＳＳと略同一である場合に定常状態となるように構成されている。そして、ＣＫＧＹ入力端子２０Ａは、ＶＤＤ電源端子２２と電気的に接続されており、ＣＫＧＸ入力端子２０Ｂは、ＶＳＳ電源端子２４と電気的に接続されている。
【００６４】
具体的には、ＣＫＧＹ入力端子２０Ａに接続された配線３０Ａが、外部基板Ｃにおいて、ＶＤＤ電源端子２２に接続された配線３２と短絡しており、ＣＫＧＸ入力端子２０Ｂが、外部基板Ｃにおいて、ＶＳＳ電源端子２４に接続された配線３４と短絡している。他の例では、ＣＫＧＹ入力端子２０Ａ及びＣＫＧＸ入力端子２０Ｂのいずれか一方が、外部基板Ｃにおいて、ＶＤＤ電源端子２２又はＶＳＳ電源端子２４と電気的に接続され、他方が、フレキシブル基板Ｂにおいて、ＶＤＤ電源端子２２又はＶＳＳ電源端子２４と電気的に接続されてもよい。
【００６５】
本実施形態によれば、外部基板Ｃにおいて配線を短絡させるという簡易な構成で、ＣＫＧＹ入力端子２０Ａ及びＣＫＧＸ入力端子２０Ｂを、ＶＤＤ電源端子２２又はＶＳＳＹ電源端子２４に電気的に接続させることができるため、走査線検査回路１１０及びデータ線駆動回路２００を容易に定常状態とすることができる。
【００６６】
また、本実施形態によれば、外部基板Ｃにおいて、例えば、ＣＫＧＹ入力端子２０Ａ及びＣＫＧＸ入力端子２０Ｂを、それぞれ、ＶＤＤ電源端子２２又はＶＳＳ電源端子２４いずれに電気的に接続するかを切り換えるスイッチ等を設けることができる。したがって、本実施形態によれば、走査線検査回路１１０及びデータ線検査回路１２０を定常状態にするか否かを容易に切り替えることができる。
【００６７】
図６は、第４実施形態に係る液晶表示装置におけるフレキシブル基板Ｂ及びその周辺構成を示す図である。以下において、第１実施形態乃至第３実施形態と異なる点を中心に第４実施形態のフレキシブル基板Ｂ等について説明する。なお、本実施形態の液晶表示装置の全体構成は第１実施形態と同様であり、第１実施形態乃至第３実施形態と同一の符号を付した構成については、当該実施形態と同様の構成及び機能を有する。
【００６８】
本実施形態において、ＣＫＧＹ入力端子２０Ａ及びＣＫＧＸ入力端子２０Ｂの双方は、外部基板Ｃにおいて、ＶＤＤ電源端子２２及びＶＳＳ電源端子２４の一方に電気的に接続されている。図６では、一例として、走査線検査回路１１０及びデータ線検査回路１２０は、それぞれＣＫＧＹ及びＣＫＧＸのレベルがＶＤＤと略同一である場合に定常状態となるように構成されており、走査線検査回路１１０及びデータ線検査回路１２０の双方が、外部基板ＣにおいてＶＤＤ電源端子２２と電気的に接続されている。
【００６９】
具体的には、ＣＫＧＹ入力端子２０Ａ及びＣＫＧＸ入力端子２０Ｂは互いに隣接して設けられており、また、ＣＫＧＹ入力端子２０Ａ及びＣＫＧＸ入力端子２０Ｂの一方が、ＶＤＤ電源端子２２又はＶＳＳ電源端子２４に隣接して設けられている。そして、ＣＫＧＹ入力端子２０Ａ及びＣＫＧＸ入力端子２０Ｂの双方がフレキシブル基板Ｂにおいて電気的に接続されている。すなわち、配線３０Ａ及び３０Ｂは、フレキシブル基板Ｂにおいて配線３２に接続されている。
【００７０】
図７は、本発明の電子機器の一例であるパーソナルコンピュータ１０００の構成を示す斜視図である。図７において、パーソナルコンピュータ１０００は、表示パネル１００２と、キーボード１００４を有する本体部１００６とを備えて構成されている。当該パーソナルコンピュータ１０００の表示パネル１００２において、本発明の電気光学装置が利用されている。
【００７１】
上記発明の実施の形態を通じて説明された実施例や応用例は、用途に応じて適宜に組み合わせて、又は変更若しくは改良を加えて用いることができ、本発明は上述した実施形態の記載に限定されるものではない。そのような組み合わせ又は変更若しくは改良を加えた形態も本発明の技術的範囲に含まれ得ることが、特許請求の範囲の記載から明らかである。
【図面の簡単な説明】
【００７２】
【図１】従来の電気光学装置を示す図である。
【図２】本発明の電気光学装置の一例である液晶表示装置の第１実施形態を示すブロック図である。
【図３】フレキシブル基板Ｂ及びその周辺構成を示す平面図である。
【図４】フレキシブル基板Ｂ及びその周辺構成の第２実施形態を示す図である。
【図５】フレキシブル基板Ｂ及びその周辺構成の第３実施形態を示す図である。
【図６】フレキシブル基板Ｂ及びその周辺構成の第４実施形態を示す図である。
【図７】本発明の電子機器の一例であるパーソナルコンピュータ１０００の構成を示す斜視図である。
【符号の説明】
【００７３】
１０・・・端子群、２０Ａ・・・ＣＫＧＹ入力端子、２０Ｂ・・・ＣＫＧＸ入力端子、２２・・・ＶＤＤ電源端子、２４・・・ＶＳＳ電源端子、３０、３２、３４・・・配線、１００・・・走査線駆動回路、１１０・・・走査線検査回路、１２０・・・データ線検査回路、２００・・・データ線駆動回路、２１０・・・基材、３００・・・タイミング発生回路、４００・・・画像処理回路、５００・・・電源回路、６００・・・検査信号出力回路、ＡＡ・・・液晶パネル、Ｂ・・・フレキシブル基板、Ｃ・・・外部基板、Ｄ・・・入力画像データ、ＣＫＧＹ・・・Ｙ検査制御信号、ＣＫＧＸ・・・Ｘ検査制御信号、ＶＤＤ・・・高位側電源、ＶＳＳ・・・低位側電源
【図１】
0004822042.tif 000002
【図２】
0004822042.tif 000003
【図３】
0004822042.tif 000004
【図４】
0004822042.tif 000005
【図５】
0004822042.tif 000006
【図６】
0004822042.tif 000007
【図７】
0004822042.tif 000008